(57)【要約】【課題】複数種類の分析条件のパラメータを容易に最適化することができる分析用データ処理装置、分析用データ処理方法及び分析用データ処理プログラムを提供する。【解決手段】各分析条件について、それぞれ基準となるパラメータを表示させ（ステップＳ１０１）、当該基準となるパラメータを含むパラメータ範囲、及び、当該パラメータ範囲内で抽出するパラメータの間隔を入力させる（ステップＳ１０２、Ｓ１０４）。各分析条件について、入力を受け付けたパラメータの範囲及び間隔に基づいて複数のパラメータを抽出し、分析条件同士のパラメータの組み合わせが異なる複数の抽出メソッドファイルを自動的に生成する（ステップＳ１０７）。複数の抽出メソッドファイルを用いて分析を行うことにより、分析条件同士で組み合わせが異なるパラメータを用いて分析を行うことができるため、それらの中から最適なパラメータの組み合わせを設定することができる。【選択図】  図３
2014153076.tif 000002
【特許請求の範囲】
【請求項１】
複数種類の分析条件のパラメータを格納するメソッドファイルに基づいて分析を行う分析装置に用いられるデータを処理するための分析用データ処理装置であって、
各分析条件について、それぞれ基準となるパラメータが格納された基準メソッドファイルに基づいて、前記基準メソッドファイルに格納されている各分析条件のパラメータを表示するための処理を行う基準パラメータ表示処理部と、
各分析条件について、それぞれ前記基準となるパラメータを含むパラメータ範囲の入力を受け付けるパラメータ範囲入力受付部と、
各分析条件について、それぞれ前記パラメータ範囲内で抽出するパラメータの間隔の入力を受け付けるパラメータ間隔入力受付部と、
各分析条件について、前記パラメータ範囲入力受付部により入力を受け付けたパラメータ範囲内において、前記パラメータ間隔入力部により入力を受け付けた間隔で複数のパラメータを抽出し、分析条件同士のパラメータの組み合わせが異なる複数の抽出メソッドファイルを自動的に生成するメソッドファイル生成部とを備えたことを特徴とする分析用データ処理装置。
【請求項２】
前記メソッドファイル生成部により生成された複数の抽出メソッドファイル及び前記基準メソッドファイルにそれぞれ格納されている分析条件のパラメータを用いて、メソッドファイルごとに順次に分析を行わせるためのバッチファイルを自動的に生成するバッチファイル生成部をさらに備えたことを特徴とする請求項１に記載の分析用データ処理装置。
【請求項３】
複数種類の分析条件のパラメータを格納するメソッドファイルに基づいて分析を行う分析装置に用いられるデータを処理するための分析用データ処理方法であって、
各分析条件について、それぞれ基準となるパラメータが格納された基準メソッドファイルに基づいて、前記基準メソッドファイルに格納されている各分析条件のパラメータを表示するための処理を行う基準パラメータ表示処理ステップと、
各分析条件について、それぞれ前記基準となるパラメータを含むパラメータ範囲の入力を受け付けるパラメータ範囲入力受付ステップと、
各分析条件について、それぞれ前記パラメータ範囲内で抽出するパラメータの間隔の入力を受け付けるパラメータ間隔入力受付ステップと、
各分析条件について、前記パラメータ範囲入力受付ステップにより入力を受け付けたパラメータ範囲内において、前記パラメータ間隔入力ステップにより入力を受け付けた間隔で複数のパラメータを抽出し、分析条件同士のパラメータの組み合わせが異なる複数の抽出メソッドファイルを自動的に生成するメソッドファイル生成ステップとを含むことを特徴とする分析用データ処理方法。
【請求項４】
複数種類の分析条件のパラメータを格納するメソッドファイルに基づいて分析を行う分析装置に用いられるデータを処理するための分析用データ処理プログラムであって、
各分析条件について、それぞれ基準となるパラメータが格納された基準メソッドファイルに基づいて、前記基準メソッドファイルに格納されている各分析条件のパラメータを表示するための処理を行う基準パラメータ表示処理ステップと、
各分析条件について、それぞれ前記基準となるパラメータを含むパラメータ範囲の入力を受け付けるパラメータ範囲入力受付ステップと、
各分析条件について、それぞれ前記パラメータ範囲内で抽出するパラメータの間隔の入力を受け付けるパラメータ間隔入力受付ステップと、
各分析条件について、前記パラメータ範囲入力受付ステップにより入力を受け付けたパラメータ範囲内において、前記パラメータ間隔入力ステップにより入力を受け付けた間隔で複数のパラメータを抽出し、分析条件同士のパラメータの組み合わせが異なる複数の抽出メソッドファイルを自動的に生成するメソッドファイル生成ステップとをコンピュータに実行させることを特徴とする分析用データ処理プログラム。
【発明の詳細な説明】
【技術分野】
【０００１】
本発明は、複数種類の分析条件のパラメータを格納するメソッドファイルに基づいて分析を行う分析装置に用いられるデータを処理するための分析用データ処理装置、分析用データ処理方法及び分析用データ処理プログラムに関するものである。
【背景技術】
【０００２】
ガスクロマトグラフなどの分析装置においては、キャリアガスの線速度やカラムの温度など、分析の際に必要となる複数種類の分析条件のパラメータがメソッドファイルとして格納され、当該メソッドファイルに基づいて分析が行われるようになっている（例えば、下記特許文献１参照）。
【０００３】
具体的には、コンピュータにより構成される分析用データ処理装置を作業者が操作することにより、複数種類の分析条件のパラメータが設定され、それらの設定された各分析条件のパラメータの組み合わせがメソッドファイルとして格納されることとなる。このような各分析条件のパラメータの組み合わせを適切に設定することにより、分析対象となる試料の特性に適した態様で分析を行うことができる。
【０００４】
例えば、キャリアガスの線速度については、使用するカラムのディメンションに基づいて、理論段数が最も高くなる速度域を判別することができる。そのため、キャリアガスの線速度のパラメータとしては、理論段数が最も高くなるような速度域が設定される場合も多い。
【先行技術文献】
【特許文献】
【０００５】
【特許文献１】特開２０１０−２３０６３９号公報
【発明の概要】
【発明が解決しようとする課題】
【０００６】
しかしながら、多成分の分析を一斉に行う場合などには、カラムにおける成分ごとの保持の特性が異なることに起因して、キャリアガスの線速度のパラメータとして理論段数が最も高くなるような速度域を設定することが、必ずしも分析に最適な設定とは言えない場合がある。そのため、特に不慣れな作業者にとっては、キャリアガスの線速度のパラメータを最適に設定することが困難である。
【０００７】
また、キャリアガスの線速度以外の分析条件のパラメータについても、不慣れな作業者にとっては最適に設定することが困難な場合が多い。例えば、昇温分析を行う際の昇温レートなどについても、当該昇温レートが各成分に及ぼす影響が異なるため、不慣れな作業者が一度で最適に設定することは困難であり、複数回の分析結果を比較して最適化を行わなければならないのが一般的である。
【０００８】
このように、分析条件のパラメータを最適化するためには、分析を複数回繰り返して行わなければならず、分析ごとに作業者が分析条件のパラメータを変更してメソッドファイルを作り直す必要があった。そのため、複数種類の分析条件のパラメータを最適化するための作業は煩雑であり、特に不慣れな作業者にとっては非常に時間がかかる作業となっていた。
【０００９】
本発明は、上記実情に鑑みてなされたものであり、複数種類の分析条件のパラメータを容易に最適化することができる分析用データ処理装置、分析用データ処理方法及び分析用データ処理プログラムを提供することを目的とする。
【課題を解決するための手段】
【００１０】
本発明に係る分析用データ処理装置は、複数種類の分析条件のパラメータを格納するメソッドファイルに基づいて分析を行う分析装置に用いられるデータを処理するための分析用データ処理装置であって、各分析条件について、それぞれ基準となるパラメータが格納された基準メソッドファイルに基づいて、前記基準メソッドファイルに格納されている各分析条件のパラメータを表示するための処理を行う基準パラメータ表示処理部と、各分析条件について、それぞれ前記基準となるパラメータを含むパラメータ範囲の入力を受け付けるパラメータ範囲入力受付部と、各分析条件について、それぞれ前記パラメータ範囲内で抽出するパラメータの間隔の入力を受け付けるパラメータ間隔入力受付部と、各分析条件について、前記パラメータ範囲入力受付部により入力を受け付けたパラメータ範囲内において、前記パラメータ間隔入力部により入力を受け付けた間隔で複数のパラメータを抽出し、分析条件同士のパラメータの組み合わせが異なる複数の抽出メソッドファイルを自動的に生成するメソッドファイル生成部とを備えたことを特徴とする。
【００１１】
このような構成によれば、各分析条件について、それぞれ基準となるパラメータを表示させ、当該基準となるパラメータを含むパラメータ範囲、及び、当該パラメータ範囲内で抽出するパラメータの間隔を入力させることができる。そして、各分析条件について、入力を受け付けたパラメータの範囲及び間隔に基づいて複数のパラメータを抽出し、分析条件同士のパラメータの組み合わせが異なる複数の抽出メソッドファイルを自動的に生成することができる。
【００１２】
このようにして自動的に生成された複数の抽出メソッドファイルを用いて分析を行うことにより、分析条件同士で組み合わせが異なるパラメータを用いて分析を行うことができるため、それらの中から最適なパラメータの組み合わせを設定することができる。したがって、分析ごとに作業者が分析条件のパラメータを変更してメソッドファイルを作り直す必要がなく、複数種類の分析条件のパラメータを容易に最適化することができる。
【００１３】
前記分析用データ処理装置は、前記メソッドファイル生成部により生成された複数の抽出メソッドファイル及び前記基準メソッドファイルにそれぞれ格納されている分析条件のパラメータを用いて、メソッドファイルごとに順次に分析を行わせるためのバッチファイルを自動的に生成するバッチファイル生成部をさらに備えていてもよい。
【００１４】
このような構成によれば、自動的に生成された複数の抽出メソッドファイル及び基準メソッドファイルにそれぞれ格納されている分析条件のパラメータを用いて、バッチファイルを自動的に生成することができる。このバッチファイルを実行して、メソッドファイルごとに順次に分析を行うことにより、分析条件同士で組み合わせが異なるパラメータを用いて自動的に分析を行うことができるため、複数種類の分析条件のパラメータを容易に最適化することができる。
【００１５】
本発明に係る分析用データ処理方法は、複数種類の分析条件のパラメータを格納するメソッドファイルに基づいて分析を行う分析装置に用いられるデータを処理するための分析用データ処理方法であって、各分析条件について、それぞれ基準となるパラメータが格納された基準メソッドファイルに基づいて、前記基準メソッドファイルに格納されている各分析条件のパラメータを表示するための処理を行う基準パラメータ表示処理ステップと、各分析条件について、それぞれ前記基準となるパラメータを含むパラメータ範囲の入力を受け付けるパラメータ範囲入力受付ステップと、各分析条件について、それぞれ前記パラメータ範囲内で抽出するパラメータの間隔の入力を受け付けるパラメータ間隔入力受付ステップと、各分析条件について、前記パラメータ範囲入力受付ステップにより入力を受け付けたパラメータ範囲内において、前記パラメータ間隔入力ステップにより入力を受け付けた間隔で複数のパラメータを抽出し、分析条件同士のパラメータの組み合わせが異なる複数の抽出メソッドファイルを自動的に生成するメソッドファイル生成ステップとを含むことを特徴とする。
【００１６】
本発明に係る分析用データ処理プログラムは、複数種類の分析条件のパラメータを格納するメソッドファイルに基づいて分析を行う分析装置に用いられるデータを処理するための分析用データ処理プログラムであって、各分析条件について、それぞれ基準となるパラメータが格納された基準メソッドファイルに基づいて、前記基準メソッドファイルに格納されている各分析条件のパラメータを表示するための処理を行う基準パラメータ表示処理ステップと、各分析条件について、それぞれ前記基準となるパラメータを含むパラメータ範囲の入力を受け付けるパラメータ範囲入力受付ステップと、各分析条件について、それぞれ前記パラメータ範囲内で抽出するパラメータの間隔の入力を受け付けるパラメータ間隔入力受付ステップと、各分析条件について、前記パラメータ範囲入力受付ステップにより入力を受け付けたパラメータ範囲内において、前記パラメータ間隔入力ステップにより入力を受け付けた間隔で複数のパラメータを抽出し、分析条件同士のパラメータの組み合わせが異なる複数の抽出メソッドファイルを自動的に生成するメソッドファイル生成ステップとをコンピュータに実行させることを特徴とする。
【発明の効果】
【００１７】
本発明によれば、自動的に生成された複数の抽出メソッドファイルを用いて分析を行うことにより、分析条件同士で組み合わせが異なるパラメータを用いて分析を行うことができるため、それらの中から最適なパラメータの組み合わせを設定することにより、複数種類の分析条件のパラメータを容易に最適化することができる。
【図面の簡単な説明】
【００１８】
【図１】本発明の一実施形態に係る分析用データ処理装置の構成例を示したブロック図である。
【図２】表示部における表示態様の一例を示した図である。
【図３】データ処理部による処理の一例を示したフローチャートである。
【発明を実施するための形態】
【００１９】
図１は、本発明の一実施形態に係る分析用データ処理装置の構成例を示したブロック図である。本実施形態に係る分析用データ処理装置は、ガスクロマトグラフなどの分析装置に用いられるデータを処理するためのものである。当該分析用データ処理装置は、例えばコンピュータにより構成され、データ処理部１、記憶部２、表示部３及び操作部４などを備えている。
【００２０】
分析装置は、例えばキャリアガスの線速度やカラムの温度など、分析の際に必要となる複数種類の分析条件のパラメータを格納するメソッドファイルに基づいて分析を行う。具体的には、複数のメソッドファイルが所定の順序で登録されたバッチファイルを実行することにより、メソッドファイルごとに順次に分析を行うことができるようになっている。本実施形態に係る分析用データ処理装置は、このような分析装置に用いられるメソッドファイルやバッチファイルを自動的に生成する機能を有している。
【００２１】
データ処理部１は、例えばＣＰＵ（Central Processing Unit）を含む構成である。当該ＣＰＵがプログラムを実行することにより、データ処理部１は、基準パラメータ表示処理部１１、パラメータ範囲入力受付部１２、パラメータ間隔入力受付部１３、メソッドファイル生成部１４及びバッチファイル生成部１５などの各種機能部として機能するようになっている。
【００２２】
記憶部２は、例えばハードディスク又はＲＡＭ（Random Access Memory）などにより構成することができる。記憶部２には、基準メソッドファイル記憶部２１、抽出メソッドファイル記憶部２２及びバッチファイル記憶部２３などが割り当てられている。基準メソッドファイル記憶部２１には、各分析条件について、それぞれ基準となるパラメータが格納された基準メソッドファイルが予め記憶されている。この基準メソッドファイルは、例えば作業者が当該分析用データ処理装置を予め操作して、分析条件を設定することにより、基準メソッドファイル記憶部２１に記憶させることができる。
【００２３】
表示部３は、例えば液晶表示器などにより構成することができ、データ処理部１による処理の結果などを表示部３に表示させることができるようになっている。操作部４は、例えばキーボード又はマウスを含む構成であり、作業者が操作部４を操作することにより入力作業を行うことができるようになっている。
【００２４】
基準パラメータ表示処理部１１は、基準メソッドファイル記憶部２１に記憶されている基準メソッドファイルに基づいて、当該基準メソッドファイルに格納されている各分析条件のパラメータを表示するための処理を行う。すなわち、例えばキャリアガスの線速度やカラムの温度などの各分析条件として予め設定されている数値が、それぞれ表示部３に表示されるようになっている。
【００２５】
本実施形態では、基準メソッドファイルに基づいて表示部３に表示される各分析条件のパラメータを作業者が確認し、各分析条件について、パラメータの範囲及び間隔を操作部４の操作により入力することができるようになっている。パラメータ範囲入力受付部１２及びパラメータ間隔入力受付部１３は、各分析条件についてのパラメータの範囲及び間隔の入力をそれぞれ受け付ける。
【００２６】
メソッドファイル生成部１４は、パラメータ範囲入力受付部１２及びパラメータ間隔入力受付部１３により入力を受け付けた各分析条件についてのパラメータの範囲及び間隔に基づいて、各分析条件につき複数のパラメータを抽出し、分析条件同士のパラメータの組み合わせが異なる複数の抽出メソッドファイルを自動的に生成する。メソッドファイル生成部１４により生成された抽出メソッドファイルは、抽出メソッドファイル記憶部２２に記憶される。
【００２７】
バッチファイル生成部１５は、抽出メソッドファイル記憶部２２に記憶されている抽出メソッドファイル、及び、基準メソッドファイル記憶部２１に記憶されている基準メソッドファイルにそれぞれ格納されている分析条件のパラメータを用いて、バッチファイルを自動的に生成する。バッチファイル生成部１５により生成されたバッチファイルは、バッチファイル記憶部２３に記憶される。
【００２８】
図２は、表示部３における表示態様の一例を示した図である。この例では、各分析条件として、キャリアガス線速度、カラム初期温度、カラム初期待機時間、カラム昇温レート、カラム最終温度及びカラム最終待機時間について、それぞれ予め設定された設定値が、基準メソッドファイルに格納されている各分析条件のパラメータ（基準となるパラメータ）としてパラメータ設定値表示領域３１に表示されている。これらの分析条件は、温度を上昇させながら分析を行う昇温分析に必要な分析条件である。
【００２９】
ここで、キャリアガス線速度は、カラム内を流れるキャリアガスの線速度である。カラム初期温度は、昇温分析を開始する際のカラムの温度である。カラム初期待機時間は、カラムの温度を上昇させ始めるまで初期温度のまま待機しておく時間である。カラム昇温レートは、カラムの温度を上昇させる際の単位時間当たりの温度上昇率である。カラム最終温度は、昇温分析を終了する際のカラムの温度である。カラム最終待機時間は、カラムの温度が最終温度に到達した後に最終温度のまま待機しておく時間である。
【００３０】
この例では、各分析条件について、パラメータ設定値表示領域３１に対応付けてパラメータ範囲入力領域３２及びパラメータ間隔入力領域３３が表示されている。各分析条件に対応するパラメータ範囲入力領域３２には、それぞれのパラメータ範囲の下限値を入力するための下限値入力領域３２１と、上限値を入力するための上限値入力領域３２２とが含まれる。
【００３１】
作業者は、パラメータ設定値表示領域３１に表示されている各分析条件の基準となるパラメータ（設定値）を確認し、当該基準となるパラメータを含むパラメータ範囲をパラメータ範囲入力領域３２に入力することができるとともに、そのパラメータ範囲内で抽出するパラメータの間隔をパラメータ間隔入力領域３３に入力することができる。
【００３２】
図２の例では、キャリアガス線速度の設定値が３０ｃｍ／ｓｅｃであり、当該設定値を含むパラメータ範囲として、２０〜４０ｃｍ／ｓｅｃという範囲がパラメータ範囲入力領域３２に入力されている。また、パラメータ間隔入力領域３３には、５ｃｍ／ｓｅｃという値が入力されている。
【００３３】
これにより、キャリアガス線速度については、２０〜４０ｃｍ／ｓｅｃの範囲内において５ｃｍ／ｓｅｃの間隔で、２０ｃｍ／ｓｅｃ、２５ｃｍ／ｓｅｃ、３５ｃｍ／ｓｅｃ、４０ｃｍ／ｓｅｃという４つのパラメータが抽出される。したがって、設定値である３０ｃｍ／ｓｅｃというパラメータも含めると、キャリアガス線速度については、５つのパラメータが準備されることとなる。
【００３４】
同様に、図２の例におけるカラム昇温レートについては、５〜２０℃／ｍｉｎの範囲内において５℃／ｍｉｎの間隔で、５℃／ｍｉｎ、１５℃／ｍｉｎ、２０℃／ｍｉｎという３つのパラメータが抽出され、設定値である１０℃／ｍｉｎというパラメータも含めると、４つのパラメータが準備される。また、カラム最終待機時間については、１０〜２０ｍｉｎの範囲内において５ｍｉｎの間隔で、１５ｍｉｎ、２０ｍｉｎという２つのパラメータが抽出され、設定値である１０ｍｉｎというパラメータも含めると、３つのパラメータが準備される。
【００３５】
このように、キャリアガス線速度については５つ、カラム昇温レートについては４つ、カラム最終待機時間については３つのパラメータをそれぞれ準備することにより、各分析条件で組み合わせの異なるパラメータが格納されたメソッドファイルを６０種類（５×４×３＝６０）準備することができる。これらのメソッドファイルのうち、１種類は基準メソッドファイル記憶部２１に記憶されている基準メソッドファイルであり、残りの５９種類が抽出メソッドファイルとして生成され、抽出メソッドファイル記憶部２２に記憶されることとなる。
【００３６】
図２の例では、カラム初期温度、カラム初期待機時間及びカラム最終温度については、パラメータ範囲入力領域３２及びパラメータ間隔入力領域３３に対する入力が行われていない。このように、任意の分析条件について、パラメータの範囲及び間隔を入力しないこともできるし、全ての分析条件について、パラメータの範囲及び間隔を入力することもできる。
【００３７】
パラメータ範囲入力領域３２の下限値入力領域３２１に、その分析条件における設定値よりも大きい値が入力された場合には、その入力が受け付けられないような構成となっていてもよい。また、パラメータ範囲入力領域３２の上限値入力領域３２２に、その分析条件における設定値よりも小さい値が入力された場合には、その入力が受け付けられないような構成となっていてもよい。
【００３８】
パラメータ範囲入力領域３２に入力されたパラメータ範囲内でパラメータを抽出する際には、その分析条件における設定値を基準として、パラメータ間隔入力領域３３に入力された間隔でパラメータが抽出される。したがって、パラメータ範囲入力領域３２の下限値入力領域３２１及び上限値入力領域３２２にそれぞれ入力された値によっては、それらの値がパラメータとして抽出されるとは限らない。
【００３９】
上記のようにして準備された複数のメソッドファイル（抽出メソッドファイル及び基準メソッドファイル）を用いてバッチファイルを生成する際には、例えば繰り返し分析回数を設定することにより、各メソッドファイルについて複数回の分析が行われるようにバッチファイルを生成することができるような構成となっていてもよい。また、各メソッドファイルについて行われる分析ごとに、使用する試料容器の番号などの他の設定を行うことができるようになっていてもよい。
【００４０】
図３は、データ処理部１による処理の一例を示したフローチャートである。メソッドファイルを自動的に生成するための処理を行う際には、まず、基準メソッドファイル記憶部２１に記憶されている基準メソッドファイルに基づいて、例えば図２に示したように、各分析条件の基準となるパラメータが表示部３に表示される（ステップＳ１０１：基準パラメータ表示処理ステップ）。
【００４１】
その後、図２のパラメータ範囲入力領域３２に例示されるような態様で、各分析条件についてパラメータの範囲の入力が受け付けられるとともに（ステップＳ１０２：パラメータ範囲入力受付ステップ）、図２のパラメータ間隔入力領域３３に例示されるような態様で、各分析条件についてパラメータの間隔の入力が受け付けられる（ステップＳ１０４：パラメータ間隔入力受付ステップ）。
【００４２】
そして、いずれかの分析条件についてパラメータの範囲が入力された場合には（ステップＳ１０２でＹｅｓ）、その入力されたパラメータの範囲が表示部３のパラメータ範囲入力領域３２に表示される（ステップＳ１０３）。また、いずれかの分析条件についてパラメータの間隔が入力された場合には（ステップＳ１０４でＹｅｓ）、その入力されたパラメータの間隔が表示部３のパラメータ間隔入力領域３３に表示される（ステップＳ１０５）。
【００４３】
このようにして、各分析条件について、必要に応じて入力操作を行った後、入力を完了するための操作が行われた場合には（ステップＳ１０６でＹｅｓ）、入力を受け付けたパラメータの範囲内において、入力を受け付けたパラメータの間隔で複数のパラメータが抽出され、分析条件同士のパラメータの組み合わせが異なる複数の抽出メソッドファイルが自動的に生成される（ステップＳ１０７：メソッドファイル生成ステップ）。
【００４４】
その後、生成された複数の抽出メソッドファイル及び基準メソッドファイルにそれぞれ格納されている分析条件のパラメータを用いて、メソッドファイルごとに順次に分析を行わせるためのバッチファイルが自動的に生成される（ステップＳ１０８：バッチファイル生成ステップ）。
【００４５】
以上のように、本実施形態では、各分析条件について、それぞれ基準となるパラメータを表示させ（ステップＳ１０１）、当該基準となるパラメータを含むパラメータ範囲、及び、当該パラメータ範囲内で抽出するパラメータの間隔を入力させることができる（ステップＳ１０２、Ｓ１０４）。そして、各分析条件について、入力を受け付けたパラメータの範囲及び間隔に基づいて複数のパラメータを抽出し、分析条件同士のパラメータの組み合わせが異なる複数の抽出メソッドファイルを自動的に生成することができる（ステップＳ１０７）。
【００４６】
このようにして自動的に生成された複数の抽出メソッドファイルを用いて分析を行うことにより、分析条件同士で組み合わせが異なるパラメータを用いて分析を行うことができるため、それらの中から最適なパラメータの組み合わせを設定することができる。したがって、分析ごとに作業者が分析条件のパラメータを変更してメソッドファイルを作り直す必要がなく、複数種類の分析条件のパラメータを容易に最適化することができる。
【００４７】
また、本実施形態では、自動的に生成された複数の抽出メソッドファイル及び基準メソッドファイルにそれぞれ格納されている分析条件のパラメータを用いて、バッチファイルを自動的に生成することができる（ステップＳ１０８）。このバッチファイルを実行して、メソッドファイルごとに順次に分析を行うことにより、分析条件同士で組み合わせが異なるパラメータを用いて自動的に分析を行うことができるため、複数種類の分析条件のパラメータを容易に最適化することができる。
【００４８】
以上の実施形態では、各分析条件のパラメータの範囲及び間隔を入力する際の表示部３の表示態様として、図２に例示されるような態様について説明したが、このような表示態様に限られるものではない。すなわち、図２のように、各分析条件についてのパラメータ設定値表示領域３１、パラメータ範囲入力領域３２及びパラメータ間隔入力領域３３が一覧として表示されるような態様に限らず、例えば操作部４の操作に基づいて、分析条件ごとに異なる表示画面に切り替わるような構成などであってもよい。
【００４９】
また、パラメータの範囲及び間隔を入力可能な分析条件としては、図２に例示されるような分析条件に限られるものではなく、他の分析条件について入力可能な構成であってもよい。すなわち、キャリアガスの線速度やカラムの温度に関する分析条件に限らず、例えば注入口の温度や検出器の温度などに関する他の分析条件について、パラメータの範囲及び間隔を入力可能な構成であってもよい。また、パラメータの範囲及び間隔を入力可能な分析条件は、昇温分析に必要な分析条件に限られるものではなく、昇温分析以外の態様、例えば恒温分析などで分析を行う各種分析装置に関して、本発明を適用することができる。
【００５０】
また、上述のような分析用データ処理装置としてコンピュータを機能させるためのプログラム（分析用データ処理プログラム）を提供することも可能である。この場合、前記プログラムは、記憶媒体に記憶された状態で提供されるような構成であってもよいし、プログラム自体が提供されるような構成であってもよい。
【符号の説明】
【００５１】
１    データ処理部
２    記憶部
３    表示部
４    操作部
１１    基準パラメータ表示処理部
１２    パラメータ範囲入力受付部
１３    パラメータ間隔入力受付部
１４    メソッドファイル生成部
１５    バッチファイル生成部
２１    基準メソッドファイル記憶部
２２    抽出メソッドファイル記憶部
２３    バッチファイル記憶部
３１    パラメータ設定値表示領域
３２    パラメータ範囲入力領域
３３    パラメータ間隔入力領域
３２１    下限値入力領域
３２２    上限値入力領域
【図１】
2014153076.tif 000003
【図２】
2014153076.tif 000004
【図３】
2014153076.tif 000005